(57)【要約】【課題】結合部品や接着剤など不要で桁材２に梁材４を簡単に結合することができる。【解決手段】桁材２及び梁材４は全く同一のＩ字形断面形状とし、そのＩ字形断面形状は比較的薄くて高いウエブ（腹部）２ｂ，４ｂの上下両端部に左右対称に張り出す比較的厚いフランジ（縁部）２ａ，４ａが上下対称にある形状であり、そのフランジ２ａ，４ａの断面形状はほぼ半円形状の丸凹み溝２ｃ，４ｃを対称に形成した断面形状とし、桁材２に組み付けるべき梁材４の端部は直角に切断したウエブ部４ｂの切断端面よりさらにフランジ部４ａを切除してウエブ部４ｂの上下両端部を鍵状に切り込んで鍵様切込み部４ｄを形成し、この梁材４の鍵様切込み部４ｄを桁材２の丸凹み溝２ｃに嵌合させて組み付ける。【選択図】　　　　図２
2004019252.tif 000002
【特許請求の範囲】
【請求項１】
桁材に梁材を直角に組み付けて形成する格子構造であって、前記桁材及び梁材は全く同一のＩ字形断面形状とし、そのＩ字形断面形状は比較的薄くて高いウエブ（腹部）の上下両端部に左右に対称に張り出す比較的厚いフランジ（縁部）が上下対称に形成された形状であり、そのフランジの断面形状はフランジの左右両側の内面（上のものは下面、下のものは上面）にほぼ半円形状の丸凹み溝を形成した断面形状としたものであり、前記桁材に組み付けるべき梁材の端部は直角に切断したウエブ部の切断端面よりさらにフランジ部を切除して前記桁材のフランジの前記丸凹み溝に嵌合するように梁材のウエブ部の上下両端部を鍵状に切除して鍵様切込み部を形成し、この梁材の端部の鍵様切込み部を組み付けるべき上記桁材のフランジの丸凹み溝に嵌合させることによって組み付けて格子を形成したことを特徴とする格子構造。
【請求項２】
桁材に梁材を直角に組み付けて格子を形成し、その片面又は両面に膜又は薄板を張り付けて形成する格子構造であって、前記桁材及び梁材は全く同一のＩ字形断面形状とし、そのＩ字形断面形状は比較的薄くて高いウエブ（腹部）の上下両端部に左右に対称に張り出す比較的厚いフランジ（縁部）が上下対称に形成された形状であり、そのフランジの断面形状はフランジの左右両側の内面（上のものは下面、下のものは上面）にほぼ半円形状の丸凹み溝を形成した断面形状としたものであり、前記桁材に組み付けるべき梁材の端部は直角に切断したウエブ部の切断端面よりさらにフランジ部を切除して前記桁材のフランジの前記丸凹み溝に嵌合するように梁材のウエブ部の上下両端部を鍵状に切除して鍵様切込み部を形成し、この梁材の端部の鍵様切込み部を組み付けるべき上記桁材のフランジの丸凹み溝に嵌合させることによって組み付けて格子を形成し、その片面又は両面に膜又は薄板を張り付けて形成したことを特徴とする格子構造。
【請求項３】
前記桁材及び梁材はアルミニウム又はアルミニウム合金の押出し形材である請求項１又は請求項２に記載の格子構造。
【発明の詳細な説明】
【０００１】
【発明が属する技術分野】
この発明は、天井の明かり取り，蛍光灯照明のカバー，部家の間仕切り等に用いることができる軽量な格子構造に関するものである。
【０００２】
【従来の技術】
上記のような用途に用いられる従来の軽量な格子構造としては、桁材に梁材を結合部品を介してビスなどで結合するとか接着剤で接着することによって格子を形成し、その片面又は両面に膜や薄板を張り付けて障子又は襖状の格子構造を形成していた。
【０００３】
【発明が解決しようとする課題】
従来の格子構造は上記のように、桁材に梁材を結合部品を介してビスなどで結合するとか接着剤で接着して組み付けて格子を形成しているが、結合部品，ビスあるいは接着剤などを必要とし、組み付けの手間もかなりかかる。また、分解も簡単にはできないというような課題がある。
【０００４】
この発明はこのような課題を解決するためになされたもので、桁材に梁材を結合するとき部品や接着剤など全く必要なく、単に嵌め付けるだけで簡単容易迅速に組み立てることができ、分解も単に嵌めを外すだけで簡単容易迅速に行うことができる格子構造を得ることを目的とする。
【０００５】
【課題を解決するための手段】
この発明による格子構造は、桁材（支持する部材）及び梁材（支持される部材）は全く同一のＩ字形断面形状とし、そのＩ字形断面形状は比較的薄くて高いウエブ（腹部）の上下両端部に左右に対称に張り出す比較的厚いフランジ（縁部）が上下対称に形成された形状であり、そのフランジの断面形状はフランジの左右両側の内面（上のものは下面、下のものは上面）にほぼ半円形状の丸凹み溝を形成した断面形状としたものであり、桁材に組み付けるべき梁材の端部は直角に切断したウエブ部の切断端面よりさらにフランジ部を切除して前記桁材のフランジの前記丸凹み溝に嵌合するように梁材のウエブ部の上下両端部を鍵状に切除して鍵様切込み部を形成し、この梁材の端部の鍵様切込み部を桁材のフランジの上記丸凹み溝に嵌合させることによって組み付けて格子を形成したものである。
【０００６】
この発明によれば、桁材及び梁材を全く同一のＩ字形断面形状としたので、桁材も梁材も同一の形材を用いることができる。また、Ｉ字形断面形状としたので重量の割に強度が大で剛性が高い。また、梁材の端部の鍵様切込み部を桁材のフランジの丸凹み溝に嵌合させることによって組み付けるようにしたので、格子の組立も分解も簡単容易迅速に行うことができる。
【０００７】
また、桁材及び梁材としてアルミニウム又はアルミニウム合金の押出し形材を採用すれば、軽量で強い格子構造が得られる。
【０００８】
【発明の実施の形態】
以下、この発明の実施の形態を図について説明する。図１乃至図３はこの発明による格子構造の実施の一形態を示し、図１は格子構造の斜視図、図２は梁材（桁材も全く同じ）を示し、（Ａ）は平面図、（Ｂ）は側面図、（Ｃ），（Ｄ）及び（Ｅ）は各箇所の断面図、図３は梁材と桁材との結合部を拡大して示し、（Ａ）は平面図、（Ｂ）は側面図、（Ｃ），（Ｄ）及び（Ｅ）は各箇所の断面図である。
【０００９】
図において、２は桁材、４は梁材、６は薄板又は膜であり、２ａ，４ａはフランジ（縁部）、２ｂ，４ｂはウエブ（腹部）、２ｃ，４ｃは丸凹み溝、４ｄは鍵様切込み部、４ｅは小突起を示す。
【００１０】
図１に示すように、この発明による格子構造は、桁材２に梁材４を組み付けて格子を形成し、その一面又は両面に、桁材２及び梁材４のフランジ面に接着剤を塗り、薄板又は膜６を張り付けたものである。薄板又は膜６としては、天井の明かり取りや蛍光灯の光を和らげるカバーのような用途に用いるものは、透明又は半透明の合成樹脂の薄板又は膜とすればよい。ガラス繊維を入れて補強したものでもよい。和紙を張れば和やかな趣が出せる。蛍光灯のカバーとする場合などには桁材２又は梁材４のウエブ２ｂ，４ｂに電線などを通す穴を適当にあければよい。なお、この格子構造は軽量であるので、天井から簡単に吊すことができる。部家の間仕切り等として用いる場合は、薄板６として金属板や合成樹脂板のほか木の合板なども用いることができる。両面に薄板６を張るときは、天井などでは片面だけでもよいが、間に防熱材や防音材を充填することもできる。なお、金属板を張り付けるときは接着剤に代えてスポット溶接などを用いることもできる。
【００１１】
図２及び図３に示すように、この発明による格子構造における桁材２と梁材４とは全く同一のＩ字形断面形状であり、例えばアルミニウム合金の押出し形成したものを用いるとすれば、単一の金型又はダイスで桁材２も梁材４も作ることができる。
【００１２】
図２及び図３に示すように、桁材２及び梁材４のＩ字形断面形状は、比較的薄くて高いウエブ（腹部）２ｂ，４ｂの上下両端部に左右に対称に張り出す比較的厚いフランジ（縁部）２ａ，４ａが上下対称に形成された形状であり、そのフランジ２ａ，４ａの断面形状はフランジ２ａ，４ａの左右両側の内面（上のものは下面、下のものは上面）にほぼ半円形状の丸凹み溝２ｃ，４ｃを形成した断面形状となっている。
【００１３】
図２及び図３に示すように、桁材２に組み付けるべき梁材４の端部は直角に切断したウエブ部４ｂの切断端面よりフランジ部４ａをさらに切り込んで切除する。図２（Ｂ）及び図３に示すように、そのフランジ部４ａを切除する形状は、フランジ部４ａを切除して残ったウエブ部４ｂの上下両端部の形状が、図３に示すように、桁材のフランジの丸凹み溝２ｃの断面形状に嵌合する形状となるように、図２（Ｂ）に示すように、四角い凹みに続くほぼ四半円形状の凸部があるという鍵状に切り込んで鍵様切込み部４ｄを形成する。
【００１４】
図３は梁材４の鍵様切込み部４ｄを桁材２のフランジ２ａの丸凹み溝２ｃに嵌合させて梁材４を桁材２に組み付けたところを拡大して示す。その組み付けは、図２（Ｂ）の水平中心線を軸として梁材４を少し回転させた状態で上下の鍵様切込み部４ｄを、桁材２の上下の丸凹み溝２ｃに挿入し、梁材４を元の直角姿勢に戻せば梁材４の鍵様切込み部４ｄを桁材２のフランジ２ａの丸凹み溝２ｃに嵌合させて梁材４を桁材２に組み付けることができる。なお、図２（Ａ），図３（Ａ）に示すように、梁材４のフランジ４ａの切断端面が直角になるように切断形成しておけば、梁材４は桁材２に対して直角に組み付けられる。また、鍵様切込み部４ｄの図２（Ｂ）の上下の右端部は、切断前の状態でウエブ４ｂからフランジ４ａに変わる箇所であるため、切断されて残るこの端部の形状は、図２（Ｅ），図３（Ｅ）に示すように、左右に突出する小突起４ｅを有する形状となる。この小突起４ｅにより組み付けた後に梁材４が直角状態を保持し倒れ難くなる。
【００１５】
なお、梁材４を桁材２に組み付けるには、梁材４の鍵様切込み部４ｄを桁材２のフランジ２ａの丸凹み溝２ｃに嵌合させるだけでよいので、桁材２の任意の位置に梁材４を組み付けることができ、梁材４の間隔などは任意であり、図１の右の部分に示すように、他の梁材の位置と関係なく任意の位置に梁材４を組み付けることができる。例えば、梁材４を互い違いに組み付けて千鳥にするというようなこともできる。
【００１６】
この格子構造は軽量で丈夫であるので、天井の明かり取り，蛍光灯のカバー，部家の間仕切り等に好適に使用できる。また、この格子構造は気密に形成し設置することが容易にできるので、クリーンルーム等に使用することができる。また、間に防熱材や防音材を入れなくても、これ自身の気密の空気層で防熱防音効果が得られる。また、膜などを張らない裸の格子も、上記梁材４を千鳥に組み付けたものなど、天井や壁面に取り付ければこれ自身が装飾になり、フランジの丸凹み溝２ｃに小さい装飾品などをかけることもできる。
【００１７】
【発明の効果】
以上説明したようにこの発明による格子構造は、桁材２及び梁材４が全く同一のＩ字形断面形状としたので、桁材２も梁材４も、同一の金型ダイスで製造された同じ形材を用いることができる。また、Ｉ字形断面形状としたので重量の割に強度が大で剛性が高い。また、梁材４の端部の鍵様切込み部４ｄを桁材２のフランジ２ａの丸凹み溝２ｃに嵌合させることによって組み付けるようにしたので、結合部品や接着剤などは不要で、格子の組立も分解も簡単容易迅速に行うことができる。特に、桁材２及び梁材４をアルミニウム合金材で形成すれば軽量で丈夫な構造が得られる。
【図面の簡単な説明】
【図１】この発明による格子構造の斜視図である。
【図２】この発明による桁材２又は梁材４を示し、（Ａ）は平面図、（Ｂ）は側面図、（Ｃ），（Ｄ）及び（Ｅ）は各箇所の断面図である。
【図３】この発明による桁材２と梁材４との結合部の拡大図であり、（Ａ）は平面図、（Ｂ）は側面図、（Ｃ），（Ｄ）及び（Ｅ）は各箇所の断面図である。
【符号の説明】
２：桁材、
４：梁材、
６：薄板又は膜、
２ａ，４ａ：フランジ（縁部）
２ｂ，４ｂ：ウエブ（腹部）、
２ｃ，４ｃ：丸凹み溝、
４ｄ：鍵様切込み部、
４ｅ：小突起。
【図１】
2004019252.tif 000003
【図２】
2004019252.tif 000004
【図３】
2004019252.tif 000005